(57)【特許請求の範囲】
【請求項１】
取付面に沿って配設される配線・配管材を収容して保護する直状カバーに繋がるとともに、前記配線・配管材を収容して保護する付属カバーであって、
前記取付面側に位置する基台と、前記配線・配管材を覆う蓋体と、前記基台に前記蓋体を着脱可能に組み付けるための組付手段とを有し、
前記蓋体は、前記基台に対向する頂壁および、その頂壁から前記基台側に延設された側壁を備えるとともに、前記頂壁および前記側壁の端部部分が、前記直状カバーの端部部分に被る接続口となっており、かつ、
前記直状カバーが、前記接続口に、その接続口の開口方向に対して角度を振って接続可能となるよう、前記側壁は、前記蓋体の材料の持つ可撓性により、前記直状カバーに押されて外方に変形可能に形成され、
前記組付手段は、前記側壁の、外方への変形により、前記基台と前記蓋体との組付け状態が解除されることがないよう、係合手段と変形規制手段とからなり、
前記係合手段は、前記側壁の内面に設けられて前記接続口から離れて位置する係合部と、前記基台に設けられて前記係合部と係合する被係合部とから構成され、
前記変形規制手段は、前記基台に設けられる被係止部と、前記側壁の内面に、前記接続口から離れて設けられるとともに、前記被係止部の内側まで延びるように設けられて、その被係止部に係止される係止部とから構成されて、前記直状カバーが前記接続口に、その接続口の開口方向に対して角度を振って接続されるとき、前記側壁の、前記係合部が位置する部分における外方への変形を規制することで、前記係合部と前記被係合部との係合を維持することを特徴とする、配線・配管材の付属カバー。
【発明の詳細な説明】
【０００１】
【発明の属する技術分野】
この発明は、取付面に沿って配設される配線・配管材を収容して保護する直状カバーに繋がる、配線・配管材の付属カバーに関するものである。
【０００２】
【従来の技術および発明が解決しようとする課題】
従来、例えば、建物の外壁面に沿って配設されるエアコン用冷媒管の付属カバーとして、図１１に示されるものがあった。かかる付属カバー２１は、直状カバー２２に繋がり、その直状カバー２２とともに、冷媒管２３、２３を収容して保護するものであり、この冷媒管２３、２３の配管経路は、排出のための勾配が付けられていた。ここで、付属カバーは、外壁面に取り付けられる基台２４と、冷媒管２３、２３を覆う蓋体２５とから構成されていた。そして、蓋体２５は、その蓋体２５に設けられた係合爪２５ａが、基台２４に設けられた係合凹部２４ａと係合することで、基台２４に組み付けられていた。また、この蓋体２５は、断面略コの字状に形成されて、直状カバー２２側に開口した端部部分が、直状カバー２２の端部部分２２ａに被る接続口２５ｂとなっていた。
【０００３】
しかし、冷媒管２３の配管経路に障害物等があったときに、直状カバー２２を、付属カバー２１の接続口２５ｂに、その接続口２５ｂの開口方向に対して角度を振って接続しようとすると、蓋体２５の側壁２５ｃが、直状カバー２２に押されて外方に変形し、蓋体２５の係合爪２５ａと基台２４の係合凹部２４ａとの係合が外れてしまった（図１１参照）。したがって、蓋体２５を基台２４に組み付けることができず、結果として、直状カバー２２を、接続口２５ｂに、その接続口２５ｂの開口方向に対して角度を振って接続することができなかった。
【０００４】
そこで、係合爪２５ａと係合凹部２４ａとの係合が外れないように、蓋体２５の剛性を高めることもできたが、その場合には、側壁２５ｃの変形が妨げられるため、始めから、直状カバー２２を、接続口２５ｂに、その接続口２５ｂの開口方向に対して角度を振って接続することができなかった。
【０００５】
この発明は、上記した従来の欠点を解決するためになされたものであり、その目的とするところは、直状カバーを、付属カバーの接続口に、その接続口の開口方向に対して角度を振って接続することができる、配線・配管材の付属カバーを提供することにある。
【０００６】
【課題を解決するための手段】
この発明に係る配線・配管材の付属カバーは、前記目的を達成するために、次の構成からなる。すなわち、
請求項１に記載の発明に係る配線・配管材の付属カバーは、取付面に沿って配設される配線・配管材を収容して保護する直状カバーに繋がるとともに、前記配線・配管材を収容して保護する付属カバーであって、前記取付面側に位置する基台と、前記配線・配管材を覆う蓋体と、前記基台に前記蓋体を着脱可能に組み付けるための組付手段とを有する。ここで、前記蓋体は、前記基台に対向する頂壁および、その頂壁から前記基台側に延設された側壁を備えるとともに、前記頂壁および前記側壁の端部部分が、前記直状カバーの端部部分に被る接続口となっている。そして、前記直状カバーが、前記接続口に、その接続口の開口方向に対して角度を振って接続可能となるよう、前記側壁は、前記蓋体の材料の持つ可撓性により、前記直状カバーに押されて外方に変形可能に形成されている。さらに、前記組付手段は、前記側壁の、外方への変形により、前記基台と前記蓋体との組付け状態が解除されることがないよう、係合手段と変形規制手段とからなる。ここにおいて、前記係合手段は、前記側壁の内面に設けられて前記接続口から離れて位置する係合部と、前記基台に設けられて前記係合部と係合する被係合部とから構成される。そして、前記変形規制手段は、前記基台に設けられる被係止部と、前記側壁の内面に、前記接続口から離れて設けられるとともに、前記被係止部の内側まで延びるように設けられて、その被係止部に係止される係止部とから構成されて、前記直状カバーが前記接続口に、その接続口の開口方向に対して角度を振って接続されるとき、前記側壁の、前記係合部が位置する部分における外方への変形を規制することで、前記係合部と前記被係合部との係合を維持する。
【０００７】
このように、この付属カバーは、直状カバーに繋がり、これら付属カバーと直状カバーとが、取付面に沿って配設される配線・配管材を収容して保護する。この付属カバーは、基台と蓋体と組付手段とを有し、蓋体は、組付手段によって、基台に着脱可能に組み付けられる。そして、蓋体は、頂壁と側壁とを備えており、これら頂壁および側壁の端部部分からなる接続口が、直状カバーの端部部分に被ることで、直状カバーは、付属カバーの接続口に接続されて、両カバーは、繋がることとなる。ここで、直状カバーを、付属カバーの接続口に、その接続口の開口方向に対して角度を振って接続しようとすると、蓋体の側壁は、直状カバーに押されて外方に変形する。このとき、前記組付手段は、側壁の、外方への変形により、基台と蓋体との組付け状態が解除されることがないように設けられているので、直状カバーを、付属カバーの接続口に、その接続口の開口方向に対して角度を振って接続することができる。
【０００８】
すなわち、蓋体の側壁に設けられた係止部が、基台に設けられた被係止部に係止されることで、直状カバーが、付属カバーの接続口に、その接続口の開口方向に対して角度を振って接続されるとき、付属カバーの側壁の、係合部が位置する部分における外方への変形が規制され、係合部と被係合部との係合が維持される。したがって、蓋体の係合部が基台の被係合部から外れるのを防止することができ、基台と蓋体との組付状態が解除されることがない。
【０００９】
【００１０】
【００１１】
【００１２】
【００１３】
【発明の実施の形態】
以下、この発明に係る配線・配管材の付属カバーの実施の形態を図面に基づいて説明する。
【００１４】
図１ないし図５は、本発明に係る配線・配管材の付属カバーの第一の実施の形態を示す。図中符号１は、取付面としての、建物の外壁面である。２は、配線・配管材としての、エアコン用の冷媒管であり、エアコンの室内機（図示せず）と室外機（図示せず）とを結ぶように、外壁面１に沿って配設されている。３は、直状カバーであり、冷媒管２、２を収容して保護する、直状の保護カバーである。４は、付属カバーであり、二本の直状カバー３、３をほぼ４５°曲がるようにして繋ぐとともに、その繋ぎ部分における冷媒管２、２を収容して保護する、付属の保護カバーである。
【００１５】
ここで、直状カバー３は、図３に示すように、建物の外壁面１にビスＶ１等により固定されるベース部材３ａと、そのベース部材３ａに組み付けられて冷媒管２、２を覆うカバー部材３ｂとから構成されている。そして、これらベース部材３ａおよびカバー部材３ｂは、それぞれ、例えば、合成樹脂材料を押出成形して得られる。
【００１６】
また、付属カバー４は、図１ないし３に示すように、建物の外壁面１側に位置してその外壁面１にビスＶ２等により固定される基台５と、冷媒管２、２を覆う蓋体６と、基台５に蓋体６を着脱可能に組み付けるための組付手段７とを有している。そして、これら基台５および蓋体６は、それぞれ、可撓性素材、例えば、塩化ビニル樹脂とかＡＣＳ樹脂とかの合成樹脂材料を射出成形して得られる。
【００１７】
付属カバー４の基台５は、建物の外壁面１に当接するとともに曲がって形成される底壁５ａと、その底壁５ａの曲がる内側および外側に立設する側壁５ｂ、５ｂとからなる。そして、基台５は、曲がって形成される各端部部分に位置する開口部５ｃが、直状カバー３の端部部分３ｃに差し込まれるように、各端部部分において、底壁５ａが段状に上がって形成されるとともに、側壁５ｂ、５ｂ間が幅狭に形成されている。また、基台５には、各側壁５ｂから底壁５ａに移るコーナー部分、つまり側壁５ｂの基端部分に、後述する蓋体６の係合部６ｄと係合する被係合部５ｄが、窪むようにして設けられている。さらに、基台５は、外側の側壁５ｂの、底壁５ａから立ち上がった先端部分が、被係止部５ｅとなっている。
【００１８】
付属カバー４の蓋体６は、基台５と同様に曲がって形成されて基台５に対向する頂壁６ａおよび、その頂壁６ａの曲がる外側および内側から基台５側に延設された側壁６ｂ、６ｂを備えるとともに、頂壁６ａおよび側壁６ｂ、６ｂの端部部分が、直状カバー３の端部部分３ｃに被る接続口６ｃとなっている。そして、側壁６ｂは、直状カバー３が、接続口６ｃに、その接続口６ｃの開口方向に対して角度を振って接続可能となるよう、直状カバー３に押されて外方に変形可能に形成されている。すなわち、例えば、この蓋体６の材料の持つ可撓性が有効に発揮されるよう、側壁６ｂの肉厚寸法が決定されている。また、蓋体６における、各側壁６ｂには、頂壁６ａから延設される先端部分に、接続口６ｃから離れて位置するとともに、内方に向かって突出する爪状の係合部６ｄ、６ｄが設けられている。そして、外側の側壁６ｂには、基台５の被係止部５ｅの内側まで延びて、その被係止部５ｅに係止される係止部６ｅ、６ｅが設けられている。図示実施の形態においては、これら係止部６ｅ、６ｅは、外側の側壁６ｂにおける両係合部６ｄ、６ｄの間であって、各係合部６ｄに近接する位置、および中央位置に設けられている（図１参照）。さらに、各側壁６ｂには、基台５の側壁５ｂの先端に対向するよう、リブ６ｆが設けられている。
【００１９】
また、組付手段７は、外側の側壁６ｂの、外方への変形により、基台５と蓋体６との組付け状態が解除されることがないように設けられている。具体的には、組付け手段７は、係合手段８と変形規制手段９とからなる。ここで、係合手段８は、蓋体６の側壁６ｂに設けられた前記係合部６ｄ、６ｄと、基台５に設けられた前記被係合部５ｄ、５ｄとから構成されている。また、変形規制手段９は、基台５に設けられた前記被係止部５ｅと、蓋体６の、外側の側壁６ｂに、接続口６ｃから離れて設けられて、その接続口６ｃの変形を妨げない前記係止部６ｅ、６ｅとから構成されている。そして、係止部６ｅ、６ｅのうちの少なくとも一部の係止部６ｅ、６ｅは、冷媒管（配線・配管材）の配管方向（配線・配管方向）において、前記係合部６ｄ、６ｄに近接して設けられている。こうして、変形規制手段９は、直状カバー３が前記接続口６ｃに、その接続口６ｃの開口方向に対して、蓋体６の外側の側壁６ｂ側に、角度を振って接続されるとき、外側の側壁６ｂの、前記係合部６ｄが位置する部分における外方への変形を規制することで、前記係合部６ｄと前記被係合部５ｄとの係合を維持している（図２参照）。
【００２０】
次に、上述の第一の実施の形態に示す付属カバー４の、作用効果について説明する。この付属カバー４は、係合部６ｄと被係合部５ｄとが係合することで、蓋体６が基台５に着脱可能に組み付けられる。このとき、付属カバー４の接続口６ｃが、直状カバー３の端部部分３ｃに被ることで、直状カバー３が接続口６ｃに接続されて、両カバー３、４は、繋がることとなる。
【００２１】
ここで、直状カバー３を、付属カバー４の接続口６ｃに、その接続口６ｃの開口方向に対して、蓋体６の外側の側壁６ｂ側に、角度を振って接続しようとすると、外側の側壁６ｂは、直状カバー３に押されて外方に変形する（図１において左上部分）。このとき、被係止部５ｅと係止部６ｅとから構成される変形規制手段９によって、外側の側壁６ｂの、係合部６ｄが位置する部分における外方への変形が規制され、係合部６ｄと被係合部５ｄとの係合が維持される（図２参照）。したがって、蓋体６の係合部６ｄが基台５の被係合部５ｄから外れるのを防止することができ、基台５と蓋体６との組付状態が解除されることがなく、直状カバー３を、付属カバー４の接続口６ｃに、その接続口６ｃの開口方向に対して、蓋体６の外側の側壁６ｂ側に、角度を振って接続することができる。よって、冷媒管２（配線・配管材）の配管経路（配線・配管経路）に障害物等があったときに、その障害物等を避けることができ、少ない部品点数で冷媒管２（配線・配管材）の配管（配線・配管）工事をすることができる。
【００２２】
図６ないし図８は、参考例としての第二の実施の形態を示す。この第二の実施の形態においては、第一の実施の形態とは、直状カバーおよび付属カバーの構造が異なるが、取付面としての建物の外壁面１や、配線・配管材としてのエアコン用の冷媒管２は同様である。図中符号１１は、直状カバーであり、冷媒管２、２を収容して保護する、直状の保護カバーである。１２は、付属カバーであり、二本の直状カバー１１、１１をほぼ真直ぐ繋ぐとともに、その繋ぎ部分における冷媒管２、２を収容して保護する、付属の保護カバーである。
【００２３】
ここで、直状カバー１１は、断面略コの字状に形成されたカバー部１１ａと、そのカバー部１１ａの下端に設けられて長手方向に延設されたベース部１１ｂ、
１１ｂとからなっており、この直状カバー１１は、例えば、合成樹脂材料を押出成形して得られる。そして、この直状カバー１１は、ベース部１１ｂ、１１ｂが、建物の外壁面１にビスＶ３、Ｖ３等により留められることで、外壁面１に取り付けられる。
【００２４】
また、付属カバー１２は、冷媒管２、２を覆うカバー本体１２ａと、外壁面１にカバー本体１２ａを取り付けるための固定部１２ｂ、１２ｂとを有している。そして、この付属カバー１２は、第一の実施の形態に示す基台５や蓋体６と同様に、例えば、塩化ビニル樹脂とかＡＣＳ樹脂とかの合成樹脂材料を射出成形して得られる。
【００２５】
カバー本体１２ａは、図８に示すように、断面略コの字状に形成されており、建物の外壁面１に対向する頂壁１２ｃおよび、その頂壁１２ｃから外壁面１側に延設された側壁１２ｄ、１２ｄを備えるとともに、頂壁１２ｃおよび側壁１２ｄ、１２ｄの端部部分が、直状カバー１１の端部部分１１ｃに被る接続口１２ｅとなっている。そして、側壁１２ｄは、直状カバー１１が、接続口１２ｅに、その接続口１２ｅの開口方向に対して角度を振って接続可能となるよう、直状カバー１１に押されて外方に変形可能に形成されている。すなわち、例えば、この付属カバー１２の材料の持つ可撓性が有効に発揮されるよう、側壁１２ｄの肉厚寸法が決定されている。
【００２６】
また、付属カバー１２の固定部１２ｂ、１２ｂは、側壁１２ｄの、外方への変形を許容すべく、接続口１２ｅから離れて設けられている。具体的には、固定部１２ｂ、１２ｂは、カバー本体１２ａの長手方向の中央部分において、側壁１２ｄ、１２ｄから延設されて、建物の外壁面１と面する鍔部からなっている。そして、この固定部１２ｂ、１２ｂ（鍔部）が、ビスＶ４、Ｖ４等によって建物の外壁面１に留められることで、カバー本体１２ａは、外壁面１に取り付けられる。
【００２７】
次に、上述の第二の実施の形態に示す付属カバー１２の、作用効果について説明する。この付属カバー１２は、カバー本体１２ａと固定部１２ｂ、１２ｂとを有し、カバー本体１２ａは、固定部１２ｂ、１２ｂによって、外壁面１に取り付けられる。このとき、付属カバー１２の接続口１２ｅが、直状カバー１１の端部部分１１ｃに被ることで、直状カバー１１が接続口１２ｅに接続されて、両カバー１１、１２は、繋がることとなる。
【００２８】
ここで、直状カバー１１を、付属カバー１２の接続口１２ｅに、その接続口１２ｅの開口方向に対して角度を振って接続しようとすると、カバー本体１２ａの側壁１２ｄは、直状カバー１１に押されて外方に変形する（図６において右上部分）。このとき、付属カバー１２の固定部１２ｂは、側壁１２ｄの、外方への変形を許容すべく、接続口１２ｅから離れて設けられているので、直状カバー１１を、付属カバー１２の接続口１２ｅに、その接続口１２ｅの開口方向に対して角度を振って接続することができる。よって、冷媒管２（配線・配管材）の配管経路（配線・配管経路）に障害物等があったときに、その障害物等を避けることができ、少ない部品点数で冷媒管２（配線・配管材）の配管（配線・配管）工事をすることができる。
【００２９】
なお、本発明は、上述した実施の形態に限定されるわけではなく、その他種々の変更が可能である。例えば、直状カバー３、１１および付属カバー４、１２に収容される配線・配管材は、冷媒管２でなくとも、給水管、給湯管、ガス管、その他の配管材であってもよく、さらには、電力線、信号線等の配線材であってもよい。また、この配線・配管材が配設される取付面は、建物の外壁面１でなくとも、内壁面、天井面、床面等、その他の取付面であってもよい。また、この取付面は、一つの平面からならなくとも、二つの平面が直角等の角度を持って折れ曲がって形成されるものであってもよく、この場合、付属カバー４、１２が、二つの平面が交差する出隅または入隅からなるコーナー部に配備されてもよい。
【００３０】
また、第一の実施の形態において、係止部６ｅおよび被係止部５ｅは、蓋体６および基台５の、外側の側壁６ｂ、５ｂに設けられているが、加えて、内側の側壁６ｂ、５ｂにも設けられてもよい。こうすることで、直状カバー３が付属カバー４の接続口６ｃに、その接続口６ｃの開口方向に対して、蓋体６の内側の側壁６ｂ側に、角度を振って接続されるとき、内側の側壁６ｂの、係合部６ｄが位置する部分における外方への変形が規制されて、係合部６ｄと被係合部５ｄとの係合が維持される。したがって、基台５と蓋体６との組付状態が解除されることがなく、直状カバー３を、付属カバー４の接続口６ｃに、その接続口６ｃの開口方向に対して、蓋体６の内側の側壁６ｂ側に、角度を振って接続することもできる。
【００３１】
また、第一の実施の形態において、付属カバー４は、二本の直状カバー３、３を繋ぐものでなくとも、図９に示すように三本の直状カバー３、３を繋ぐものであってもよく、また、それ以上の本数の直状カバー３、３を繋ぐものであってもよい。また、付属カバー４は、複数本の直状カバー３、３を繋ぐものでなくとも、例えば、冷媒管２が建物の壁を貫通する部分に、この付属カバー４が配置されたり、配設される冷媒管２の端部部分に、この付属カバー４が配置されたりして、この付属カバー４が、一本のみの直状カバー３に繋がってもよい。そして、これらのことは、第二の実施の形態においても同様である。
【００３２】
また、第一の実施の形態において、変形規制手段９は、基台５に設けられる被係止部５ｅと、蓋体６の側壁６ｂに設けられる係止部６ｅとから構成される構造であるが、参考例として、図１０に示すように、基台５の側壁５ｂが、蓋体６の中央部分においてその蓋体６の側壁６ｂの外側に位置する構造であってもよい。このとき、蓋体６の側壁６ｂに設けられる係合部６ｄは、外方に向かって突出し、また、基台５に設けられて係合部６ｄと係合する被係合部５ｄは、基台５の側壁５ｂから内方に向かって突出する。こうして、直状カバー（図示せず）が、接続口６ｃに、その接続口６ｃの開口方向に対して角度を振って接続されるとき、基台５の側壁５ｂが、蓋体６の側壁６ｂの、係合部６ｄが位置する部分における外方への変形を規制し、係合部６ｄと被係合部５ｄとの係合が維持される。
【００３３】
また、第一の実施の形態において、組付手段７は、係合手段８と変形規制手段９とからなるが、参考例として、例えば、蓋体６の中央部分において、この蓋体６と基台５とを、ビス留め等の固定手段により固定するものであってもよい。
【００３４】
【発明の効果】
以上、詳述したところから明らかなように、この発明に係る配線・配管材の付属カバーによれば、次の効果がある。
【００３５】
請求項１に記載された配線・配管材の付属カバーによれば、側壁の、外方への変形により、基台と蓋体との組付け状態が解除されることがなく、直状カバーを、付属カバーの接続口に、その接続口の開口方向に対して角度を振って接続することができる。
【図面の簡単な説明】
【図１】  この発明に係る配線・配管材の付属カバーの第一の実施の形態の、平断面図である。
【図２】  同じく、図１におけるＡ−Ａ線による断面図である。
【図３】  同じく、図１におけるＢ−Ｂ線による断面図である。
【図４】  同じく、蓋体の正面図である。
【図５】  同じく、蓋体の底面図である。
【図６】  参考例としての第二の実施の形態の、平断面図である。
【図７】  同じく、側面図である。
【図８】  同じく、付属カバーの斜視図である。
【図９】  この発明に係る配線・配管材の付属カバーの他の実施の形態の、平断面図である。
【図１０】  参考例としての、さらに他の実施の形態の、斜視図である。
【図１１】  従来の配線・配管材の付属カバーおよび直状カバーを示す平断面図である。
【符号の説明】
１  外壁面（取付面）            ２  冷媒管（配線配管材）
３  直状カバー                  ３ｃ  端部部分
４  付属カバー                  ５  基台
５ｄ  被係合部                  ５ｅ  被係止部
６  蓋体                        ６ａ  頂壁
６ｂ  側壁                      ６ｃ  接続口
６ｄ  係合部                    ６ｅ  係止部
７  組付け手段                  ８  係合手段
９  変形規制手段
【図１】
0003748768.tif 000002
【図２】
0003748768.tif 000003
【図３】
0003748768.tif 000004
【図４】
0003748768.tif 000005
【図５】
0003748768.tif 000006
【図６】
0003748768.tif 000007
【図７】
0003748768.tif 000008
【図８】
0003748768.tif 000009
【図９】
0003748768.tif 000010
【図１０】
0003748768.tif 000011
【図１１】
0003748768.tif 000012